(57)【要約】【課題】  商品を扉の前面に陳列できるだけでなく、扉の前面のデザインを陳列商品に合わせて簡単に変更することができ、商品の陳列効果を高めるようにした商品陳列什器を提供する。【解決手段】  商品を収容する収容空間１の前面に開閉自在の扉３を設け、この扉３を、正面視方形枠状のフレーム２０、２１、２２と、その内側に設けられ、前面に商品を吊支して陳列しうるワイヤネット２３とにより形成するとともに、ワイヤネット２３の背面側に、背面板２５を着脱自在に収容する背面板収容部２４を設ける。【選択図】図１
2005177020.tif 000002
【特許請求の範囲】
【請求項１】
商品を収容する収容空間の前面に開閉自在の扉を設け、この扉を、正面視方形枠状のフレームと、その内側に設けられ、前面に商品を吊支して陳列しうるワイヤネットとにより形成するとともに、前記ワイヤネットの背面側に、背面板を着脱自在に収容する背面板収容部を設けたことを特徴とする商品陳列什器。
【請求項２】
背面板収容部を、扉のフレームにおける左右の縦框の内側に設けた上下方向を向く溝により形成し、この溝に、背面板を落し込むようにした請求項１記載の商品陳列什器。
【請求項３】
背面板を、透光性の板材により形成した請求項１または２記載の商品陳列什器。
【請求項４】
背面板に、広告を施した請求項１〜３のいずれか１項に記載の商品陳列什器。
【請求項５】
収容空間に、背面板の背後を照らす照明手段を設けた請求項１〜４のいずれか１項に記載の商品陳列什器。
【請求項６】
収容空間の後壁に、商品を収容する棚板を取付けた請求項１〜５のいずれか１項に記載の商品陳列什器。
【発明の詳細な説明】
【技術分野】
【０００１】
本発明は、商品を収容する収容空間の前面に設けた扉の前面にも商品を陳列できるようにした商品陳列什器に関する。
【背景技術】
【０００２】
靴等の商品を、壁面を利用して効果的に効率よく陳列し得るようにした商品陳列構造は公知である（例えば、特許文献１参照）。
このような商品陳列の構造を、商品を収容する収容空間を形成する筐体の前面に開閉自在に設けた扉に適用し、閉止した扉の前面にも商品を陳列し得るようにすることが考えられるが、その場合、扉の前面に陳列した商品に合わせて、扉の前面のデザインを簡単に変更できるようにすることが望まれる。
【特許文献１】特開平０７−２２２６５７号公報
【発明の開示】
【発明が解決しようとする課題】
【０００３】
本発明は、上述のような要望に鑑み、商品を扉の前面に陳列できるだけでなく、扉の前面のデザインを、陳列商品に合わせて簡単に変更して、商品の陳列効果を高めうるようにした商品陳列什器を提供することを目的としている。
【課題を解決するための手段】
【０００４】
本発明によると、上記課題は、次のようにして解決される。
(１)  商品を収容する収容空間の前面に開閉自在の扉を設け、この扉を、正面視方形枠状のフレームと、その内側に設けられ、前面に商品を吊支して陳列しうるワイヤネットとにより形成するとともに、前記ワイヤネットの背面側に、背面板を着脱自在に収容する背面板収容部を設ける。
【０００５】
(２)  上記(１)項において、背面板収容部を、扉のフレームにおける左右の縦框の内側に設けた上下方向を向く溝により形成し、この溝に背面板を落し込むようにする。
【０００６】
(３)  上記(１)または(２)項において、背面板を、透光性の板材により形成する。
【０００７】
(４)  上記(１)〜(３)項のいずれかにおいて、背面板に、広告を施す。
【０００８】
(５)  上記(１)〜(４)項のいずれかにおいて、収容空間に、背面板の背後を照らす照明手段を設ける。
【０００９】
(６)  上記(１)〜(５)項のいずれかにおいて、収容空間の後壁に、商品を収容する棚板を取付ける。
【発明の効果】
【００１０】
本発明によると、次のような効果を奏することができる。
(ａ)請求項１記載の発明によると、扉をワイヤネットで構成するとともに、ワイヤネットの背面側に背面板を着脱自在に装着しうるようにしたので、ワイヤネットの前面に陳列した商品に応じたデザインの背面板を選んで、背面板収容部に装着することができるとともに、その背面板を容易に交換することができ、商品の陳列効果を高めることができる。
また、背面板収容部から背面板を外して使用することもでき、この場合には、扉の後方の収容空間内に収容された在庫商品を、ワイヤネットを通して視認できるという利点が得られる。
【００１１】
(ｂ)請求項２記載の発明によると、背面板を扉の縦框の内側に設けた溝に落し込むようにしたので、背面板の扉への取付けおよび取外しが簡単であり、商品に応じた最適の背面板に交換できる。
【００１２】
(ｃ)請求項３記載の発明によると、背面板を透光性の板材で形成したので、この背面板とワイヤネットとを通して、扉の後方の収容空間内に収容された在庫商品を視認できるとともに、背面板を通して背後から照明光を商品に照射して照明することができ、背面板の装飾性を高めることができる。
【００１３】
(ｄ)請求項４記載の発明によると、背面板に広告を施したので、扉を商品陳列と商品広告との両者に利用することができ、特に扉の前面に陳列した商品に関する情報を商品の直近に表示できるという利点がある。
【００１４】
(ｅ)請求項５記載の発明によると、収容空間に背面板の背後を照らす照明手段を設けたので、請求項３記載の発明のように、背面板を透光性としたときは、扉の前面に陳列した商品を背面板を通して後方から間接的に、また背面板を取り外したときは、後方から直接照明することができ、展示効果を高めることができる。
【００１５】
（ｆ）請求項６記載の発明によると、収容空間の後壁に商品を収容する棚板を取付けたので、収容空間に在庫商品を効率よく保管することができる。
【発明を実施するための最良の形態】
【００１６】
以下、本発明の一実施形態を図面に基づいて説明する。
図１は、本発明の一実施形態を備える商品陳列什器の分解斜視図、図２は、同じく斜視図、図３は、同じく正面図、図４は、同じく平面図である。
【００１７】
各図に示すように、商品陳列什器(Ａ)は、収容空間(１)を構成する本体(２)と、この本体(２)の前面開口部に取付けられた両開き式の扉(３)(３)とを備えている。
本体(２)は、前後左右に設けられた４本の支柱(4a)(4b)(4c)(4d)と、後部中央に設けられた補助支柱(4e)と、これらの支柱(4a)(4b)(4c)(4d)の上部および下部を各々連結する上部連結部材(５)および下部連結部材(６)と、後面および左右両側面に設けられたワイヤネット(７)とを備えている。なお、図示していないが、上面は天井板で塞がれている。収容空間(１)の後部には照明器具(８)が設けられている。
【００１８】
後部の支柱(4c)(4d)には、棚受け(10)が係止爪(11)を介して取付けられており、この棚受け(10)上に棚板(12)が取付けられている。棚板(12)は、必要に応じて任意の複数段が設置され、この棚板(12)に在庫商品(図示せず)が載置される。補助支柱(4e)の前部には、方形ブラケット(13)が取付けられている。この方形ブラケット(13)の前部には、横向きの取付板(14)が取付けられている。
【００１９】
扉用枠体(15)は、左右の縦枠(16)(16)と上下の連結枠(17)(18)とからなる方形枠であって、その左右の縦枠(16)には、前方に折曲された側板(16a)が形成されている。連結枠(17)(18)の中央部に取付けられた取付板(19)と方形ブラケット(13)の取付板(14)とをねじ止するとともに、側板(16a)を前部の支柱(4a)(4b)にねじ止することにより、扉用枠体(15)は、本体(２)の収容空間(１)の前部に取付けられている。
【００２０】
扉(３)は、左右の縦框(20)と、この縦框(20)の上下に連結された上框(21)および下框(22)と、この縦框(20)および上下框(21)(22)（それらによって正面視方形枠状の扉(３)のフレームが形成されている。）に取付けられたワイヤネット(23)とを備えている。ワイヤネット(23)は、複数の縦桟(23a)と横桟(23b)とからなっている。縦框(20)の内側であって、ワイヤネット(23)の後方には、上下方向を向く落し込み用の溝(24)が形成されており、この溝(24)の下端は下框(22)により閉塞され、かつ溝(24)の上端は開放している。両溝(24)(24)によって、背面板(25)を着脱自在に収容する背面板収容部が形成されている。
【００２１】
２枚の扉(３)は、ヒンジ(26)を介して左右の縦枠(16)の内端縁に開閉自在に取付けられている。これにより扉(３)は、縦枠(16)の側板(16a)の幅の分だけ本体(２)の前面より内側に凹んだ位置に配置されている(図４参照)。
【００２２】
扉(３)におけるワイヤネット(23)の前面には、商品受け具(27)が取付けられている。この商品受け具(27)は、後面に係止爪(28)を有する係止片(29)の前面に支持片(30)が取付けられたもので、係止爪(28)をワイヤネット(23)における横桟(23b)に引掛けることにより、図２に示すように、任意の複数個のものが扉(３)の前面に取付けられ、この支持片(30)の上に任意の商品(31)（図示の例では靴）が置かれて陳列される。扉(３)は、本体(２)の前面より内側に凹んでいるので、商品(31)が本体(２)の前部からはみ出すことがなく、本体(２)内に体裁よく収められる。
【００２３】
背面板(25)として、文字、色彩、意匠等の異なるものを複数種類しておけば、陳列する商品に応じて最適のものを扉(３)に落とし込むことができる。必要に応じて、この背面板(25)の表面に、所望の広告の文字や絵模様等を表示することもできる。また、背面板(25)を背面板収容部に装着しないで使用することもできる。
【００２４】
また、背面板(25)は、透光性または半透光性のアクリル系樹脂のような合成樹脂製の板材により構成することが好ましい。これにより、照明器具(８)から光を透過して商品(31)を照明したり、あるいは背面板(25)の文字や意匠を光で表示したりすることができる。
【図面の簡単な説明】
【００２５】
【図１】本発明の一実施形態の分解斜視図である。
【図２】同じく、組立て後の斜視図である。
【図３】同じく、正面図である。
【図４】同じく、平面図である。
【符号の説明】
【００２６】
(１)収容空間
(２)本体
(３)扉
(4a)(4b)(4c)(4d)支柱
(4e)補助支柱
(５)上部連結部材
(６)下部連結部材
(７)ワイヤネット
(８)照明器具
(10)棚受け
(11)係止爪
(12)棚板
(13)方形ブラケット
(14)取付板
(15)扉用枠体
(16)縦枠
(16a)側板
(17)(18)連結枠
(19)取付板
(20)縦框
(21)上框
(22)下框
(23)ワイヤネット
(23a)縦桟
(23b)横桟
(24)溝(背面板収容部)
(25)背面板
(26)ヒンジ
(27)商品受け具
(28)係止爪
(30)支持片
(31)商品
(Ａ)商品陳列什器
【図１】
2005177020.tif 000003
【図２】
2005177020.tif 000004
【図３】
2005177020.tif 000005
【図４】
2005177020.tif 000006